(57)【特許請求の範囲】
【請求項１】
ディスク載置用トレイを前後進可能に支持するローダーシャーシが設けられ、前後進可
能な光ピックアップとターンテーブルとを搭載したトラバースシャーシの後部が後側弾性
体を介して前記ローダーシャーシに上下動可能に連結されると共に、該トラバースシャー
シの前部が前側弾性体を介してトラバースホルダに連結され、該トラバースホルダに対向
するカムスライダが前記ローダーシャーシに前後進方向とは直交する左右方向にスライド
可能に配置され、内部にカム溝を形成したカム枠が前記カムスライダのトラバースホルダ
対向面に一体突設され、前記カム溝に嵌入させたカムピンが前記トラバースホルダの前面
に突設され、前記光ピックアップに一体連結したメインラックと、該メインラックに一定
範囲内前後進可能に連結した状態でばねにより後進側に付勢されたサブラックとからなる
ダブルラックが設けられ、該ダブルラックに駆動ピニオンが係脱可能に噛合され、前記サ
ブラックの前端に突設した操作ピンに対向して前記カムスライダに操作溝が形成され、前
記サブラックの前部側縁に係合片が一体突設されると共に、該係合片に対向してローダー
シャーシにストッパ板が一体形成され、従動ピニオンがローダーシャーシの前部に配置さ
れ、該従動ピニオンに対向するスライド用ラックがカムスライダの一端部に一体形成され
ており、プレイモードで、カムスライダを左右一方向にスライドさせることにより、該ス
ライダのカム溝及びカムピンを介してトラバースホルダをターンテーブル上にクランプさ
れるディスクの記録面と略直交する鉛直な方向に沿って移動させ、そのトラバースホルダ
の移動に伴って前側弾性体を介してトラバースシャーシが後側弾性体回りで上動され、該
トラバースシャーシを上限位置まで上動させて水平姿勢にしたときにそのトラバースシャ
ーシがディスクの記録面と略直交する鉛直な方向に直線的に移動されてターンテーブル上
にディスクがクランプされ、このプレイモードでアンローディング信号に基づいて駆動ピ
ニオンを正転させることによりダブルラックを介して光ピックアップを前進させ、その光
ピックアップが最前進位置に達した後にサブラックをばねに抗してさらに前進させること
により、前記係合片がストッパ板の上端を乗り越え、操作ピンが操作溝の内側面に押し付
けられ、その押付力でカムスライダを左右一方向にスライドさせることによりスライド用
ラックを従動ピニオンに噛合させ、該従動ピニオンの回転によりカムスライダをスライド
させてトラバースシャーシを下動させ、前記係合片をストッパ板の前面に係合させてサブ
ラックを最前進位置で待機させるようにしたディスク装置において、前記カム枠の上面の
サブラックに対向する位置に所定高さの基台が一体突設され、該基台の後面が前進側に向
かって斜め上向きに傾斜する傾斜面とされており、前記トラバースシャーシが上限位置ま
で達しない位置で停止されることにより下向き状態のサブラックの前端を前記基台の傾斜
面に沿って該基台の上面まで押し上げることにより、前記係合片をストッパ板の上端を乗
り越えさせるようにしたことを特徴とするディスク装置。
【請求項２】
ディスク載置用トレイを前後進可能に支持するローダーシャーシが設けられ、前後進可
能な光ピックアップとターンテーブルとを搭載したトラバースシャーシの後部が後側弾性
体を介して前記ローダーシャーシに上下動可能に連結されると共に、該トラバースシャー
シの前部が前側弾性体を介してトラバースホルダに連結され、該トラバースホルダに対向
するカムスライダが前記ローダーシャーシに前後進方向とは直交する左右方向にスライド
可能に配置され、内部にカム溝を形成したカム枠が前記カムスライダのトラバースホルダ
対向面に一体突設され、前記カム溝に嵌入させたカムピンが前記トラバースホルダの前面
に突設され、前記光ピックアップに一体連結したメインラックと、該メインラックに一定
範囲内前後進可能に連結した状態でばねにより後進側に付勢されたサブラックとからなる
ダブルラックが設けられ、該ダブルラックに駆動ピニオンが係脱可能に噛合され、前記サ
ブラックの前端に突設した操作ピンに対向して前記カムスライダに操作溝が形成され、前
記サブラックの前部側縁に係合片が一体突設されると共に、該係合片に対向してローダー
シャーシにストッパ板が一体形成され、従動ピニオンがローダーシャーシの前部に配置さ
れ、該従動ピニオンに対向するスライド用ラックがカムスライダの一端部に一体形成され
ており、プレイモードで、カムスライダを左右一方向にスライドさせることにより、該ス
ライダのカム溝及びカムピンを介してトラバースホルダをターンテーブル上にクランプさ
れるディスクの記録面と略直交する鉛直な方向に沿って移動させ、そのトラバースホルダ
の移動に伴って前側弾性体を介してトラバースシャーシが後側弾性体回りで上動され、該
トラバースシャーシを上限位置まで上動させて水平姿勢にしたときにそのトラバースシャ
ーシがディスクの記録面と略直交する鉛直な方向に直線的に移動されてターンテーブル上
にディスクがクランプされ、このプレイモードでアンローディング信号に基づいて駆動ピ
ニオンを正転させることによりダブルラックを介して光ピックアップを前進させ、その光
ピックアップが最前進位置に達した後にサブラックをばねに抗してさらに前進させること
により、前記係合片がストッパ板の上端を乗り越え、操作ピンが操作溝の内側面に押し付
けられ、その押付力でカムスライダを左右一方向にスライドさせることによりスライド用
ラックを従動ピニオンに噛合させ、該従動ピニオンの回転によりカムスライダをスライド
させてトラバースシャーシを下動させ、前記係合片をストッパ板の前面に係合させてサブ
ラックを最前進位置で待機させるようにしたディスク装置において、トラバースシャーシ
が上限位置まで達しない位置で停止されることにより下向き状態のサブラックの前端を押
し上げて係合片をストッパ板の上端を乗り越えさせる押上手段が設けられていることを特
徴とするディスク装置。
【請求項３】
前記押上手段が前記カム枠の上面のサブラックに対向する位置に一体突設された所定高
さの基台からなり、該基台の後面が前進側に向かって斜め上向きに傾斜する傾斜面とされ
ており、その傾斜面に沿って基台の上面までサブラックの前端を押し上げるようにしたこ
とを特徴とする請求項２に記載のディスク装置。
【請求項４】
前記押上手段が前記ストッパ板の上端から後進側に向かって延設された所定高さの基台
からなり、該基台の後面が前進側に向かって斜め上向きに傾斜する傾斜面とされており、
その傾斜面に沿って基台の上面まで係合片を押し上げるようにしたことを特徴とする請求
項２に記載のディスク装置。
【発明の詳細な説明】
【技術分野】
【０００１】
本発明は、ディスク装置（例えばＤＶＤレコーダやＤＶＤプレーヤなど）に関し、クラ
ンプ不正常状態のときにトレイを確実にオープン状態にする。
【背景技術】
【０００２】
従来、ディスク装置の技術として特許文献１などに記載したものがあり、その一例を図
４以下の図面に基づいて説明すると、これはＤＶＤレコーダであって、８ｃｍまたは（１
２ｃｍ）のディスクＤを載置するためのトレイ１を前後進ａ，ｂ可能に支持するローダー
シャーシ２が設けられ、該ローダーシャーシ２内にトラバースシャーシ３とトラバースホ
ルダ４とが配置され、該トラバースシャーシ３の後部がゴムからなる左右一対の後側弾性
体５を介してローダーシャーシ２に上下動ｃ，ｄ可能に連結されると共に、そのトラバー
スシャーシ３の前部がゴムからなる左右一対の前側弾性体６を介してトラバースホルダ４
に連結され、該トラバースホルダ４に対向するカムスライダ７がローダーシャーシ２に前
後進ａ，ｂ方向とは直交する左右方向ｅ，ｆにスライド可能に配置され、内部にカム溝８
を形成した左右一対のカム枠７ａが前記カムスライダ７のトラバースホルダ対向面に一体
突設され、前記各カム溝８が、上段溝部８ａ及び下段溝部８ｃとその上下両溝部８ａ，８
ｃをつなぐ傾斜溝部８ｂとからなり、その各カム溝８に嵌入する左右一対の円柱状カムピ
ン９がトラバースホルダ４の前面に突設されている。
【０００３】
前記トラバースシャーシ３の上面に左右一対のガイドレール１１を介して光ピックアッ
プ１２が配置され、図８に示すように、光ピックアップ１２に一体連結したメインラック
１０Ａと、該メインラック１０Ａに一定範囲内前後進ａ，ｂ可能に連結した状態でばね１
０ａにより後進ｂ側に付勢されたサブラック１０Ｂとからなるダブルラック１０が設けら
れ、該ダブルラック１０に駆動ピニオン１３ａが係脱可能に噛合されると共に、その駆動
ピニオン１３ａを正逆回転ｇ，ｈさせるフィードモータ１３がトラバースシャーシ３に設
けられ、前記サブラック１０Ｂの前端に突設した操作ピン１０ｂに対向してカムスライダ
７の下面に左右一対のガイド片７ｂが一体突設され、該両ガイド片７ｂ間に斜め前方に向
かって傾斜する操作溝７ｃが形成され、前記サブラック１０Ｂの前部側縁に係合片１０ｃ
が一体突設されると共に、該係合片１０ｃに対向してローダーシャーシ２にストッパ板２
ａが一体形成されている。
【０００４】
図４及び図５に示すように、前記トラバースシャーシ３の前部にターンテーブル１４付
きスピンドルモータ１５が配置されており、ターンテーブル１４の中央に突設したヨーク
付き突起部１４ａにディスクＤの中央貫通孔Ｄａを嵌合させることにより、そのディスク
Ｄをターンテーブル１４上に載置する。
【０００５】
前記ターンテーブル１４に対向してローダーシャーシ２の両側壁間に横桁１７が架設さ
れ、該横桁１７の中央部に形成した貫通孔１７ａ内に永久磁石１８付きクランパ１９が一
定範囲内昇降可能に配置されており、その永久磁石１８の磁力によりクランパ１９とター
ンテーブル１４とでディスクＤをクランプする。
【０００６】
図５に示すように、前記トレイ１には、その中央部に光ピックアップ１２及びターンテ
ーブル１４を通過させるための通過孔１ａが貫設されると共に、８ｃｍディスクＤを収納
するための小径状の円形凹部１ｂと１２ｃｍディスクＤ（図示せず）を収納するための大
径状の円形凹部１ｃとが同心状に凹設されている。
【０００７】
図４に示すように、前記フィードモータ１３によりギヤ機構及びクラッチ機構（図示せ
ず）を介して正逆回転ｉ，ｊされる従動ピニオン２１がローダーシャーシ２の前部に配置
され、該従動ピニオン２１に対向するスライド用ラック２２がカムスライダ７の一端部に
一体形成されると共に、その従動ピニオン２１に対向する前後進用ラック２３（図６参照
）がトレイ１の下面に一体形成されている。なお、図７中、２４はカムスライダ７の上面
に突設した左右一対の係合ピンであって、トレイ１の下面に形成した係合溝（図示せず）
に係合される。
【０００８】
上記した各構成部品はローダーシャーシ２内に組み込んだマイコンからなる制御部によ
り制御され、特に、フィードモータ１３にかかる電圧がプログラムに予め書き込まれた上
限設定値に達したとき、その検知信号に基づいてフィードモータ１３を逆転駆動させてア
ンローディング動作を行わせる。
【０００９】
動作原理を説明すると、図４〜図６はプレイモードを示しており、トラバースシャーシ
３を上限位置まで上昇させて水平姿勢とし、ターンテーブル１４の突起部１４ａをディス
クＤの中央貫通孔Ｄａに嵌入させることにより、該ディスクＤをクランパ１９とターンテ
ーブル１４とでクランプしており、スピンドルモータ１５によりターンテーブル１４を介
してディスクＤを高速回転させ、フィードモータ１３により駆動ピニオン１３ａ及びダブ
ルラック１０を介して光ピックアップ１２を前後進ａ，ｂさせ、該光ピックアップ１２に
よりディスクＤに記録されている映像情報の再生や録画または消去をおこなう。
【００１０】
プレイモードでエジェクト釦を押すなどしてアンローディング信号が制御部に入力され
ると、スピンドルモータ１５の駆動を停止し、フィードモータ１３により駆動ピニオン１
３ａを正転ｇさせることによりダブルラック１０を介して光ピックアップ１２を前進ａさ
せ、図４及び図８に示すように、その光ピックアップ１２が最前進ａ位置に達した後にサ
ブラック１０Ｂをばね１０ａに抗してさらに前進ａさせることにより、図９に示すように
、係合片１０ｃがストッパ板２ａの上端を乗り越え、操作ピン１０ｂが操作溝７ｃの内側
面に押し付けられ、その押付力でカムスライダ７を矢印ｅ方向にわずかにスライドさせ、
スライド用ラック２２を従動ピニオン２１に噛合させる。続いて、フィードモータ１３に
よりギヤ機構及びクラッチ機構（図示せず）を介して従動ピニオン２１を正転ｉさせ、
カムスライダ７を矢印ｅ方向にスライドさせる。
【００１１】
これにより、図１０及び図１１に示すように、カムピン９がカム溝８の上段溝部８ａか
ら傾斜溝部８ｂを通って下段溝部８ｃに移行され、トラバースホルダ４を介してトラバー
スシャーシ３を下限位置まで下動ｃさせ、ターンテーブル１４上のディスクＤをトレイ１
に受け渡す。
【００１２】
それと同時に、図１２に示すように、係合片１０ｃをストッパ板２ａの前面に係合させ
てサブラック１０Ｂを最前進ａ位置で待機させる。
【００１３】
その後、カムスライダ７が矢印ｅ方向の最終端に達する直前に、スライド用ラック２２
が従動ピニオン２１から離脱され、それとほぼ同時に、該カムスライダ７の両係合ピン２
４がトレイ１の係合溝（図示せず）に係合されることにより、該トレイ１がわずかに前進
ａされ、前後進用ラック２３を従動ピニオン２１に噛合させる。続いて、フィードモータ
１３により従動ピニオン２１を正転ｉさせ、トレイ１を前進ａさせてオープン状態とし（
図１０仮想線参照）、そのオープン状態のトレイ１からディスクＤを取り外し、新たなデ
ィスクＤをトレイ１上に載置する。
【００１４】
トレイ１のオープン状態でエジェクト釦を押すなどしてローディング信号が制御部に入
力されると、フィードモータ１３により従動ピニオン２１を逆転ｊさせ、トレイ１を後進
ｂさせる。該トレイ１が最後進ｂ状態（図１０実線参照）に達する直前に、そのトレイ１
の係合溝（図示せず）が両係合ピン２４に係合されることにより、カムスライダ７をわず
かに矢印ｆ方向にスライドさせてスライド用ラック２２を従動ピニオン２１に噛合させ、
それとほぼ同時に、該従動ピニオン２１から前後進用ラック２３を離脱させる。
【００１５】
続いて、従動ピニオン２１を逆転ｊさせることにより、カムスライダ７を矢印ｆ方向に
スライドさせる。これにより、図４〜図６に示すように、カムピン９がカム溝８の下段溝
部８ｃから傾斜溝部８ｂを通って上段溝部８ａに移行され、トラバースホルダ４を介して
トラバースシャーシ３を上限位置まで上動ｄさせて水平姿勢とし、トレイ１上のディスク
Ｄをターンテーブル１４により持ち上げ、該ディスクＤをターンテーブル１４とクランパ
１９とでクランプし、プレイモードにする。
【００１６】
図１０に仮想線で示すように、例えば８ｃｍディスクＤを小径状の円形凹部１ｂから外
れた状態でトレイ１上に誤って載置することがあり、その状態でローディング信号に基づ
いてトレイ１を後進ｂさせ、図１３に示すように、ターンテーブル１４の突起部１４ａが
ディスクＤの中央貫通孔Ｄａに嵌入されない場合には、該ディスクＤのクランプが正常に
行われず、その状態でスピンドルモータ１５を駆動すると、ディスクＤを損傷させること
になる。
【００１７】
そこで、上記のようにディスクＤのクランプが不正常のときには、ディスクＤが突起部
１４ａと横桁１７とで挟まれて、トラバースシャーシ３が上限位置まで達しない位置で停
止され、その一方で、フィードモータ１３によりカムスライダ７を矢印ｆ方向にスライド
させて、カムピン９が上段溝部８ａまで移行されることにより、前側弾性体６が弾性変位
されてトラバースホルダ４が下向きに傾き、その弾性変形により発生した弾性力でカムピ
ン９がカム溝８の下縁に押し付けられ、その押し付けによる摩擦抵抗の増大でフィードモ
ータ１３にかかるの電圧が上昇するので、その上昇した電圧が上限設定値に達したときに
、それを制御部で検知し、その検知信号に基づいてフィードモータ１３を逆転駆動させて
、トラバースシャーシ３を下動ｃさせ、トレイ１を前進ａさせて、オープン状態のトレイ
１上からディスクＤを取り出し、そのディスクＤが損傷されないようにする。
【００１８】
また、エジェクト釦（図示せず）を押すことにより、フィードモータ１３を逆転駆動さ
せて、トラバースシャーシ３を下動ｃさせ、トレイ１を前進ａさせて、オープン状態のト
レイ１上からディスクＤを取り出することもできる。
【特許文献１】特開２００４−２８８３３３号公報
【発明の開示】
【発明が解決しようとする課題】
【００１９】
上記従来の構成では、図１３に示すように、クランプ不正常状態により上動ｄさせたト
ラバースシャーシ３が上限位置まで達しない位置で停止されることにより、図１４（ａ）
に示すように、サブラック１０Ｂが正常位置（仮想線参照）から若干下がった下向き状態
となったときに、係合片１０ｃがストッパ板２ａの後面に対向することになり、このまま
の状態で、アンローディング信号に基づいてサブラック１０Ｂを前進ａさせると、図１４
（ｂ）に示すように、係合片１０ｃがストッパ板２ａの後面に当たって、サブラック１０
Ｂの前進ａが阻止され、次の動作に移れなくなることがある。
【００２０】
本発明は、上記従来の欠点に鑑み、クランプ不正常状態のときにトレイを確実にオープ
ン状態にすることができるようにしたディスク装置を提供することを目的としている。
【課題を解決するための手段】
【００２１】
上記目的を達成するため、請求項１に記載の発明は、ディスク載置用トレイを前後進可
能に支持するローダーシャーシが設けられ、前後進可能な光ピックアップとターンテーブ
ルとを搭載したトラバースシャーシの後部が後側弾性体を介して前記ローダーシャーシに
上下動可能に連結されると共に、該トラバースシャーシの前部が前側弾性体を介してトラ
バースホルダに連結され、該トラバースホルダに対向するカムスライダが前記ローダーシ
ャーシに前後進方向とは直交する左右方向にスライド可能に配置され、内部にカム溝を形
成したカム枠が前記カムスライダのトラバースホルダ対向面に一体突設され、前記カム溝
に嵌入させたカムピンが前記トラバースホルダの前面に突設され、前記光ピックアップに
一体連結したメインラックと、該メインラックに一定範囲内前後進可能に連結した状態で
ばねにより後進側に付勢されたサブラックとからなるダブルラックが設けられ、該ダブル
ラックに駆動ピニオンが係脱可能に噛合され、前記サブラックの前端に突設した操作ピン
に対向して前記カムスライダに操作溝が形成され、前記サブラックの前部側縁に係合片が
一体突設されると共に、該係合片に対向してローダーシャーシにストッパ板が一体形成さ
れ、従動ピニオンがローダーシャーシの前部に配置され、該従動ピニオンに対向するスラ
イド用ラックがカムスライダの一端部に一体形成されており、プレイモードで、カムスラ
イダを左右一方向にスライドさせることにより、該スライダのカム溝及びカムピンを介し
てトラバースホルダをターンテーブル上にクランプされるディスクの記録面と略直交する
鉛直な方向に沿って移動させ、そのトラバースホルダの移動に伴って前側弾性体を介して
トラバースシャーシが後側弾性体回りで上動され、該トラバースシャーシを上限位置まで
上動させて水平姿勢にしたときにそのトラバースシャーシがディスクの記録面と略直交す
る鉛直な方向に直線的に移動されてターンテーブル上にディスクがクランプされ、このプ
レイモードでアンローディング信号に基づいて駆動ピニオンを正転させることによりダブ
ルラックを介して光ピックアップを前進させ、その光ピックアップが最前進位置に達した
後にサブラックをばねに抗してさらに前進させることにより、前記係合片がストッパ板の
上端を乗り越え、操作ピンが操作溝の内側面に押し付けられ、その押付力でカムスライダ
を左右一方向にスライドさせることによりスライド用ラックを従動ピニオンに噛合させ、
該従動ピニオンの回転によりカムスライダをスライドさせてトラバースシャーシを下動さ
せ、前記係合片をストッパ板の前面に係合させてサブラックを最前進位置で待機させるよ
うにしたディスク装置において、前記カム枠の上面のサブラックに対向する位置に所定高
さの基台が一体突設され、該基台の後面が前進側に向かって斜め上向きに傾斜する傾斜面
とされており、前記トラバースシャーシが上限位置まで達しない位置で停止されることに
より下向き状態のサブラックの前端を前記基台の傾斜面に沿って該基台の上面まで押し上
げることにより、前記係合片をストッパ板の上端を乗り越えさせるようにしたことを特徴
としている。
【００２２】
請求項２に記載の発明は、ディスク載置用トレイを前後進可能に支持するローダーシャ
ーシが設けられ、前後進可能な光ピックアップとターンテーブルとを搭載したトラバース
シャーシの後部が後側弾性体を介して前記ローダーシャーシに上下動可能に連結されると
共に、該トラバースシャーシの前部が前側弾性体を介してトラバースホルダに連結され、
該トラバースホルダに対向するカムスライダが前記ローダーシャーシに前後進方向とは直
交する左右方向にスライド可能に配置され、内部にカム溝を形成したカム枠が前記カムス
ライダのトラバースホルダ対向面に一体突設され、前記カム溝に嵌入させたカムピンが前
記トラバースホルダの前面に突設され、前記光ピックアップに一体連結したメインラック
と、該メインラックに一定範囲内前後進可能に連結した状態でばねにより後進側に付勢さ
れたサブラックとからなるダブルラックが設けられ、該ダブルラックに駆動ピニオンが係
脱可能に噛合され、前記サブラックの前端に突設した操作ピンに対向して前記カムスライ
ダに操作溝が形成され、前記サブラックの前部側縁に係合片が一体突設されると共に、該
係合片に対向してローダーシャーシにストッパ板が一体形成され、従動ピニオンがローダ
ーシャーシの前部に配置され、該従動ピニオンに対向するスライド用ラックがカムスライ
ダの一端部に一体形成されており、プレイモードで、カムスライダを左右一方向にスライ
ドさせることにより、該スライダのカム溝及びカムピンを介してトラバースホルダをター
ンテーブル上にクランプされるディスクの記録面と略直交する鉛直な方向に沿って移動さ
せ、そのトラバースホルダの移動に伴って前側弾性体を介してトラバースシャーシが後側
弾性体回りで上動され、該トラバースシャーシを上限位置まで上動させて水平姿勢にした
ときにそのトラバースシャーシがディスクの記録面と略直交する鉛直な方向に直線的に移
動されてターンテーブル上にディスクがクランプされ、このプレイモードでアンローディ
ング信号に基づいて駆動ピニオンを正転させることによりダブルラックを介して光ピック
アップを前進させ、その光ピックアップが最前進位置に達した後にサブラックをばねに抗
してさらに前進させることにより、前記係合片がストッパ板の上端を乗り越え、操作ピン
が操作溝の内側面に押し付けられ、その押付力でカムスライダを左右一方向にスライドさ
せることによりスライド用ラックを従動ピニオンに噛合させ、該従動ピニオンの回転によ
りカムスライダをスライドさせてトラバースシャーシを下動させ、前記係合片をストッパ
板の前面に係合させてサブラックを最前進位置で待機させるようにしたディスク装置にお
いて、トラバースシャーシが上限位置まで達しない位置で停止されることにより下向き状
態のサブラックの前端を押し上げて係合片をストッパ板の上端を乗り越えさせる押上手段
が設けられていることを特徴としている。
【００２３】
請求項３に記載の発明は、請求項２に記載の発明において、前記押上手段が前記カム枠
の上面のサブラックに対向する位置に一体突設された所定高さの基台からなり、該基台の
後面が前進側に向かって斜め上向きに傾斜する傾斜面とされており、その傾斜面に沿って
基台の上面までサブラックの前端を押し上げるようにしたことを特徴としている。
【００２４】
請求項４に記載の発明は、請求項２に記載の発明において、前記押上手段が前記ストッ
パ板の上端から後進側に向かって延設された所定高さの基台からなり、該基台の後面が前
進側に向かって斜め上向きに傾斜する傾斜面とされており、その傾斜面に沿って基台の上
面まで係合片を押し上げるようにしたことを特徴としている。
【発明の効果】
【００２５】
請求項１に記載の発明は実施の一形態（図１及び図２参照）に対応するものであって、
これによれば、クランプ不正常状態により上動させたトラバースシャーシが上限位置まで
達しない位置で停止されることにより、サブラックが正常位置から若干下がった下向き状
態となって、係合片がストッパ板の後面に対向するときでも、アンローディング信号に基
づいて前進するサブラックの前端が基台の傾斜面に沿ってその基台の上面まで押し上げら
れるから、前記係合片をストッパ板の上端を乗り越えさせることができ、サブラックの前
進が従来のように阻止されることが無く、次の動作にスムーズに移行して、トレイを確実
にオープン状態とし、クランプ不正常状態を解消することができる。
【００２６】
また、係合片の乗り越え動作から次のカムスライダのスライド動作に伴って基台もサブ
ラックから離間するので、該サブラックの下動を基台により阻害されることがなく、その
サブラックの下動を円滑に行って係合片をストッパ板の前面に係合させ、サブラックを最
前進位置で確実に待機させることができる。更に、所定高さの基台をカム枠の上面に一体
突設するだけであるから、構造簡単で部品点数が増加せず、経済的である。
【００２７】
請求項２に記載の発明は基本形態に対応するものであって、これによれば、クランプ不
正常状態により上動させたトラバースシャーシが上限位置まで達しない位置で停止される
ことにより、サブラックが正常位置から若干下がった下向き状態となって、係合片がスト
ッパ板の後面に対向するときでも、アンローディング信号に基づいて前進するサブラック
の前端が押上手段により押し上げられるから、前記係合片をストッパ板の上端を乗り越え
させることができ、サブラックの前進が従来のように阻止されることが無く、次の動作に
スムーズに移行して、トレイを確実にオープン状態とし、クランプ不正常状態を解消する
ことができる。
【００２８】
請求項３に記載の発明によれば、押上手段がカム枠の上面のサブラックに対向する位置
に一体突設された基台からなっており、該基台の傾斜面に沿ってその基台の上面までサブ
ラックの前端が押し上げられるから、係合片をストッパ板の上端を乗り越えさせて、次の
動作にスムーズに移行させることができる。また、その乗り越え動作から次のカムスライ
ダのスライド動作に伴って基台もサブラックから離間するので、該サブラックの下動を基
台により阻害されることがなく、そのサブラックの下動を円滑に行って係合片をストッパ
板の前面に係合させ、サブラックを最前進位置で確実に待機させることができる。更に、
所定高さの基台をカム枠の上面に一体突設するだけであるから、構造簡単で部品点数が増
加せず、経済的である。
【００２９】
請求項４に記載の発明によれば、押上手段がストッパ板の上端から後進側に向かって延
設された基台からなっており、該基台の傾斜面に沿ってその基台の上面まで係合片が押し
上げられるから、該係合片をストッパ板の上端を乗り越えさせて、次の動作にスムーズに
移行させることができる。また、その基台がサブラックから側方に離れているので、該サ
ブラックの下動を基台により阻害されることがなく、そのサブラックの下動を円滑に行っ
て係合片をストッパ板の前面に係合させ、サブラックを最前進位置で確実に待機させるこ
とができる。更に、所定高さの基台をストッパ板の上端から後進側に向かって延設するだ
けであるから、構造簡単で部品点数が増加せず、経済的である。
【発明を実施するための最良の形態】
【００３０】
図１及び図２は本発明の実施の一形態であるＤＶＤレコーダ（ディスク装置）の要部を
示すものであって、カム枠７ａの上面のサブラック１０Ｂに対向する位置に所定高さｔ（
１〜２ｍｍ程度）の基台（押上手段）２５が一体突設され、該基台２５の後面が前進ａ側
に向かって斜め上向きに傾斜する傾斜面２５ａとされている。上記以外の構成及びローデ
ィング及びアンローディングの動作は図４〜図１４に示す構成とほぼ同じであるかから、
同一部分に同一符号を付して、その説明を省略する。
【００３１】
上記構成において、クランプ不正常状態の動作を説明すると、図１３に示すように、ト
ラバースシャーシ３が上限位置まで達しない位置で停止されることにより、サブラック１
０Ｂが正常位置〔図２（ａ）の２点鎖線参照〕から若干下がった下向き状態となったとき
に、アンローディング信号に基づいてサブラック１０Ｂを前進ａさせると、図２（ａ）に
実線で示すように、サブラック１０Ｂの前端が基台２５上に乗り上げて元の位置〔図２（
ａ）の１点鎖線参照〕から押し上げられ、係合片１０ｃも押し上げられる。続いて、サブ
ラック１０Ｂの前進ａにより、該サブラック１０Ｂの前端が基台２５を乗り越えると、図
２（ｂ）に示すように、係合片１０ｃがストッパ板２ａの上端を乗り越え、次の動作（図
１２参照）に移行する。
【００３２】
上記構成によれば、クランプ不正常状態により上動ｄさせたトラバースシャーシ３が上
限位置まで達しない位置で停止されることにより、サブラック１０Ｂが正常位置から若干
下がった下向き状態となって、係合片１０ｃがストッパ板２ａの後面に対向するときでも
（図１４参照）、アンローディング信号に基づいて前進ａするサブラック１０Ｂの前端が
基台２５の傾斜面２５ａに沿ってその基台２５の上面まで押し上げられるから、前記係合
片１０ｃをストッパ板２ａの上端を乗り越えさせることができ、サブラック１０Ｂの前進
ａが従来のように阻止されることが無く、次の動作（図１２参照）にスムーズに移行して
、トレイ１を確実にオープン状態とし、クランプ不正常状態を解消することができる。
【００３３】
また、係合片１０ｃの乗り越え動作から次のカムスライダ７の矢印ｅ方向へのスライド
動作に伴って基台２５もサブラック１０Ｂから離間するので、該サブラック１０Ｂの下動
ｃを基台２５により阻害されることがなく、そのサブラック１０Ｂの下動ｃを円滑に行っ
て係合片１０ｃをストッパ板２ａの前面に係合させ、サブラック１０Ｂを最前進ａ位置で
確実に待機させることができる。更に、所定高さｔの基台２５をカム枠７ａの上面に一体
突設するだけであるから、構造簡単で部品点数が増加せず、経済的である。
【００３４】
図３は本発明の実施の他の形態であるＤＶＤレコーダ（ディスク装置）の要部を示すも
のであって、ストッパ板２ａの上端に、後進ｂ側に向かって所定高さｔ（１〜２ｍｍ程度
）の基台（押上手段）２５が一体延設され、該基台２５の後面が前進ａ側に向かって斜め
上向きに傾斜する傾斜面２５ａとされている。上記以外の構成及びローディング及びアン
ローディングの動作は図１及び図２に示す構成とほぼ同じであるかから、同一部分に同一
符号を付して、その説明を省略する。
【００３５】
上記構成によれば、基台２５の傾斜面２５ａに沿ってその基台２５の上面まで係合片１
０ｃが押し上げられるから、該係合片１０ｃをストッパ板２ａの上端を乗り越えさせて、
次の動作（図１２参照）にスムーズに移行させることができる。また、その基台２５がサ
ブラック１０Ｂから側方に離れているので、該サブラック１０Ｂの下動ｃを基台２５によ
り阻害されることがなく、そのサブラック１０Ｂの下動ｃを円滑に行って係合片１０ｃを
ストッパ板２ａの前面に係合させ（図１２参照）、サブラック１０Ｂを最前進ａ位置で確
実に待機させることができる。更に、所定高さｔの基台２５をストッパ板２ａの上端から
後進ｂ側に向かって延設するだけであるから、構造簡単で部品点数が増加せず、経済的で
ある。
【図面の簡単な説明】
【００３６】
【図１】本発明の実施の一形態であるＤＶＤレコーダ（ディスク装置）のカムスライダ付近の斜視図である。
【図２】（ａ）は同サブラック前端押上状態の一部切欠き側面図、（ｂ）は同係合片乗り越え状態の一部切欠き側面図である。
【図３】（ａ）は同本発明の実施の他の形態であるＤＶＤレコーダ（ディスク装置）のカムスライダ付近の斜視図、（ｂ）は同要部の係合片乗り上げ状態の拡大縦断面図である。
【図４】従来例におけるディスククランプ状態を示す平面図である。
【図５】同状態の縦断面図である。
【図６】同状態の横断面図である。
【図７】同カムスライダ付近の斜視図である。
【図８】（ａ）は同サブラック前端押上直前状態の一部切欠き平面図、（ｂ）は同状態の一部切欠き側面図、（ｃ）は同状態の一部切欠き正面図である。
【図９】（ａ）は同サブラック前端押上状態の一部切欠き平面図、（ｂ）は同状態の一部切欠き側面図、（ｃ）は同状態の一部切欠き正面図である。
【図１０】同ディスクアンクランプ状態の縦断面図である。
【図１１】同状態の横断面図である。
【図１２】（ａ）は同サブラック最前進待機状態の一部切欠き平面図、（ｂ）は同状態の一部切欠き側面図、（ｃ）は同状態の一部切欠き正面図である。
【図１３】同クランプ不正常状態における縦断面図である。
【図１４】（ａ）は同クランプ不正常状態におけるサブラック前進途中の一部切欠き側面図、（ｂ）は同サブラック前進阻止の一部切欠き側面図である。
【符号の説明】
【００３７】
１            トレイ
２            ローダーシャーシ
２ａ          ストッパ板
３            トラバースシャーシ
４            トラバースホルダ
５            後側弾性体
６            前側弾性体
７            カムスライダ
７ａ          カム枠
７ｃ          操作溝
８            カム溝
９            カムピン
１０          ダブルラック
１０Ａ        メインラック
１０Ｂ        サブラック
１０ａ        ばね
１０ｂ        操作ピン
１０ｃ        係合片
１２          光ピックアップ
１３          フィードモータ
１４          ターンテーブル
２５          基台（押上手段）
２５ａ        基台の傾斜面
Ｄ            ディスク
ａ，ｂ        前後進
ｃ，ｄ        上下動
ｅ，ｆ        左右方向
ｇ，ｈ        正逆回転
ｔ            基台の高さ
【図１】
0004821334.tif 000002
【図２】
0004821334.tif 000003
【図３】
0004821334.tif 000004
【図４】
0004821334.tif 000005
【図５】
0004821334.tif 000006
【図６】
0004821334.tif 000007
【図７】
0004821334.tif 000008
【図８】
0004821334.tif 000009
【図９】
0004821334.tif 000010
【図１０】
0004821334.tif 000011
【図１１】
0004821334.tif 000012
【図１２】
0004821334.tif 000013
【図１３】
0004821334.tif 000014
【図１４】
0004821334.tif 000015